(57)【特許請求の範囲】
【請求項１】
丸型内孔断面形状の管路の接続部に伸縮可能に介設され、対向する管路端部にそれぞれ接続固定する一対のフランジ（２）（２）と、これらフランジ間に、非金属製蛇腹（１）を設けた丸型非金属製蛇腹式伸縮継手（Ｘ）において、前記一対のフランジ（２）（２）間に、軸方向に余裕を保持して非金属製蛇腹（１）を装着し、該非金属製蛇腹の軸方向の中間部分にリング（３）を装着したことを特徴とする丸型非金属製蛇腹式伸縮継手。
【請求項２】
中間リング（３）は、非金属製蛇腹（１）の外側部に、外側リング（３ａ）を、内側部には内側リング（３ｂ）を設け、これら両リング（３ａ）（３ｂ）を、非金属製蛇腹（１）を介して中間リング固定手段（４）にて固定することを特徴とする請求項１記載の丸型非金属製蛇腹式伸縮継手。
【発明の詳細な説明】
【技術分野】
【０００１】
本発明は、丸型非金属製蛇腹式伸縮継手に関するものである。
【背景技術】
【０００２】
従来、ゴム、ガラス繊維、ＰＴＦＥシート等で構成される丸型非金属製蛇腹式伸縮継手は、軸方向の伸縮を吸収する為、取付状態において、蛇腹部に不規則な皺が発生する。なお、ＰＴＦＥはポリテトラフルオロエチレン(polytetrafluoroethylene)の略称である。
【０００３】
そして、伸縮継手の伸縮を繰り返すと、蛇腹部に発生した皺端部が鋭角状に折れ曲がり、損傷し易い等の問題があった。
【０００４】
これまでに出願されている蛇腹式伸縮継手の特許文献を参考の為、紹介する（特許文献１〜２参照）。
【先行技術文献】
【特許文献】
【０００５】
【特許文献１】特開２００６−００２８６４
【特許文献２】特開２００６−２４２２００
【０００６】
上記の特許文献１，特許文献２は、いずれも、本発明の特長である伸縮継手の蛇腹の上下中間部に、回動用中間リングを挟着して、伸縮継手を設置する際に回動用中間リングが所定角度回動し、中間リングの上下に対称的な襞部を形成することで、伸縮に対する反力を軽減するものではない。
【発明の開示】
【発明が解決しようとする課題】
【０００７】
そこで、上記課題を解決する為に、この発明は構造が簡単で、且つ、耐久性・保形性・安全性・経済性等に優れ、且つ、伸縮継手の伸縮作動により不規則に形成される蛇腹部の襞部又は弛みの発生を解消して、蛇腹の耐久性向上を目的とした丸型非金属製蛇腹式伸縮継手を開発・提供する事にある。
【課題を解決するための手段】
【０００８】
この課題を解決する為の手段として、本発明は、一対のフランジ間に、軸方向に余裕を保持して非金属製蛇腹を装着し、該非金属製蛇腹の軸方向の中間部分にリングを装着したことを特徴とするものである。
【０００９】
さらに、中間リングは、非金属製蛇腹の内側部に、内側リングを、外側部には外側リングを設け、これら両リングを、非金属製蛇腹を介して挟着し、拘束して設けることを特徴とするものである。
【発明の効果】
【００１０】
この発明の効果として、一対のフランジ間に、軸方向に余裕を保持して非金属製蛇腹を装着し、該非金属製蛇腹の軸方向の中間部分にリングを装着し、又、中間リングは、非金属製蛇腹の内側部に、内側リングを、外側部には外側リングを設け、これら両リングを、非金属製蛇腹を介して挟着し、拘束して設けることにより、中間リングの上下両側に対称的な襞部を形成することで、従来の鋭角的な折れ曲がりが生じることを回避できる結果、非金属製蛇腹の耐久性が向上し、又、伸縮に対する反力が軽減出来る。
【００１１】
また、この発明の構造が簡単で、且つ、保形性・安全性・経済性等に優れ、且つ、伸縮継手の伸縮作動による従来の不規則に形成される弛み、又は、伸縮継手の捩れ作動により従来の不規則に形成される襞部発生を解消して、蛇腹の耐久性、品質の向上が望める等、極めて有益なる効果を奏するものである。
【図面の簡単な説明】
【００１２】
【図１】この発明の一実施例を示し、（Ａ）は丸型非金属製蛇腹式伸縮継手の一部欠截平面図で、（Ｂ）は一部欠截正面図である。
【図２】この発明の使用例を示し、丸型非金属製蛇腹式伸縮継手設置時（縮時）の正面図である。
【図３】この発明の使用例を示し、丸型非金属製蛇腹式伸縮継手設置時（縮時）の斜視図である。
【図４】この発明の使用例を示し、中間リング固定手段の一部拡大断面図である。
【発明を実施するための形態】
【００１３】
この発明を実施するための形態として、丸型内孔断面形状の管路の接続部に伸縮可能に介設され、対向する管路端部にそれぞれ接続固定する一対のフランジ（２）（２）と、これらフランジ間に、非金属製蛇腹（１）を設けた丸型非金属製蛇腹式伸縮継手（Ｘ）において、前記一対のフランジ（２）（２）間に、軸方向に余裕を保持して非金属製蛇腹（１）を装着し、該非金属製蛇腹の軸方向の中間部分に中間リング（３）を装着したことを特徴とする丸型非金属製蛇腹式伸縮継手から構成される。
【００１４】
又、中間リング（３）は、非金属製蛇腹（１）の外側部に、外側リング（３ａ）を、内側部には内側リング（３ｂ）を設け、これら両リング（３ａ）（３ｂ）を、非金属製蛇腹（１）を介して挟着し、拘束して設けることを特徴とする丸型非金属製蛇腹式伸縮継手から構成される。
【実施例１】
【００１５】
そこで、この発明の一実施例を、図１（Ａ）（Ｂ）に基づいて詳述すると、ます、図１（Ａ）は丸型非金属製蛇腹式伸縮継手の一部欠截平面図であって、図１（Ｂ）は一部欠截正面図である。
【００１６】
上記図１（Ａ）（Ｂ）に図示するように、本発明の伸縮継手（Ｘ）は、丸型内孔断面形状の管路の接続部に伸縮可能に介設され、対向する管路端部にそれぞれ接続固定する上下一対のフランジ（２）（２）と、該フランジ間の非金属製蛇腹の内外両側面の中間部に周設して拘束した回動用の中間リング（３）と、円筒状の非金属製蛇腹（１）とそれぞれ一体に形成して設けたものである。
【００１７】
尚、前記、非金属製蛇腹（１）の材質の一実施例としては、例えば、ゴム、ガラス繊維、ＰＴＦＥシート等の素材で構成されるが、より具体的には、ガラスファイバー織布に特殊フッ素樹脂をコートし、更に、ＰＴＦＥフィルムをラミネートした単層タイプのものが考えられ、この構造によると、柔軟性、耐食性に優れている。
【００１８】
又、前記図１（Ｂ）に示すように、伸縮継手の伸時（設置前時）の上下設置面間寸法（Ｌ）は、当然ながら設置時に比較し長く、非金属製蛇腹に襞も発生していない。しかしながら、設置時には図２に示すように、蛇腹の中間部に設けた回動用中間リングを所定角度（α）回動することで、上下均一な弛みを有したり、上下対称の規則的な襞部（１ａ）が発生する。従って、伸縮継手の縮時（圧縮状態時）の上下設置面間寸法（Ｌ'）は前記の伸時に比較し、短くなる。
【００１９】
そして、更に詳細に説明すると、前記伸縮継手（Ｘ）を設置する際は、図２又は図３に示すように、余裕を持って設けられた円筒状の非金属製蛇腹（１）の中間部に、中間リングを設けることにより、伸縮継手の伸縮作動により中間リングが回動して、適度の所定角度（α）ほど回動して、蛇腹部に上下対称の規則的な弛みや襞部を生じさせるものである。
【００２０】
又、前記回動用中間リング（３）を詳細に説明すると、図１（Ｂ）に示すように、円筒状の非金属製蛇腹（１）には、該非金属製蛇腹（１）の上下中間内側面部に、内側リング（３ｂ）を設け、上下中間外側面部には外側リング（３ａ）を設け、これら両リングは、該外側リング（３ａ）に設けた金属製バンド等の中間リング固定手段（４）を用いて、締付・固定するものである。
【００２１】
尚、中間リング固定手段（４）の一例としては、図４に示すように、非金属製蛇腹（１）の上下中間内側面部に、内側リング（３ｂ）を設け、上下中間外側面部には外側リング（３ａ）は、該リングの一部をカットし、該リングの一方の端部に、フック（４ａ）を固定して設け、リングの他方の端部には、枢支部（４ｃ）を固定して設け、該枢支部（４ｃ）にはレバー（４ｄ）を回動自在に枢着して設け、該レバー（４ｄ）には、前記フック（４ａ）に係合するための偏平なリング（４ｂ）を設けてたものより構成される。
【００２２】
そして、前記内側リング（３ｂ）と非金属製蛇腹（１）とを固定する際には、外側リング（３ａ）の一端側に設けたレバー（４ｄ）を「開」方向に移動し、偏平なリング（４ｂ）を、他端側に設けたフック（４ａ）に係止した後、該レバー（４ｄ）を「閉」方向に倒せば、外側リング（３ａ）を締付・固定できるものである。
【００２３】
また、中間リング固定手段（４）の他の例としては、ネジ式の締めつけにより固定する手段や、リング自体がスプリング機能を有する素材で形成し、該スプリング機能を用いて、固定する手段であってもよく、要するに、中間リング（３）を固定するものであれば特に限定されるものではない。
【００２４】
当然の事ながら、上記、実施例１は縦（上下）方向用管路の接続部に使用する伸縮継手の一例を紹介したが、縦方向用のみに限定するものではなく、横（左右）方向用管路の接続部に使用することも可能である。
【産業上の利用可能性】
【００２５】
この発明の丸型非金属製蛇腹式伸縮継手は、構造が簡単で、且つ、耐久性・保形性・安全性・経済性等に優れ、且つ、伸縮継手の伸縮作動による蛇腹部の襞部又は弛みの発生を解消して、蛇腹の耐久性を向上させることで、電力会社等の関係市場に寄与する点で産業上の利用可能性を有する。
【符号の説明】
【００２６】
１  非金属製蛇腹
１ａ  襞部
２  フランジ
３  中間リング
３ａ  外側リング
３ｂ  内側リング
４  中間リング固定手段
４ａ  フック
４ｂ  偏平なリング
４ｃ  枢支部
４ｄ  レバー
Ｌ  伸時の上下設置面間寸法
Ｌ' 縮時の上下設置面間寸法
Ｘ  伸縮継手
α  回動角度
【図１】
0005406325.tif 000002
【図２】
0005406325.tif 000003
【図３】
0005406325.tif 000004
【図４】
0005406325.tif 000005